(57)【要約】      （修正有）【課題】アンテナアレイを構成するアンテナホーンを、高い密度でプリント回路基板に配置する方法を提供する。【解決手段】アンテナアレイ１０１は、複数のプリント回路基板ランチャー６１０を有するプリント回路基板１１０と、プリント回路基板１１０と連結するアンテナホーン１２０で構成する。アンテナホーン１２０のフレームは、それぞれのプリント回路基板ランチャー６１０を取り囲む、コップ構造の少なくとも１つの開口を有する。アンテナホーン１２０のフレームのプリント回路基板１１０に連結される第１の端部には、プリント回路基板１１０に連結する適合型連結部材が形成される。【選択図】図１Ｂ
2020058018.tif 000002
【特許請求の範囲】
【請求項１】
アンテナアレイ（１０１）であって、
複数のプリント回路基板ランチャー（６１０Ｐ）を有するプリント回路基板（１１０）、及び
前記プリント回路基板（１１０）と連結するように構成されたアンテナホーンのアレイ（１２１、１２１Ａ、１２１Ｂ、１２１Ｃ）であって、当該アンテナホーンのアレイ（１２１、１２１Ａ、１２１Ｂ、１２１Ｃ）のうちの１つ以上のアンテナホーン（１２０）が、
それぞれのプリント回路基板ランチャー（６１０Ｐ）を取り囲むコップ構造（２１８）を形成する少なくとも１つの開口（２１５）を有するフレーム（２００）であって、前記プリント回路基板（１１０）に連結された第１の端部（２０１）と、前記第１の端部（２０１）から長手方向に離間され、前記プリント回路基板（１１０）から延びる第２の端部（２０２）とを有する、フレーム（２００）と、
前記第１の端部（２０１）から長手方向に延びる複数の適合型連結部材（２１０Ｐ）であって、当該複数の適合型連結部材（２１０Ｐ）と、前記プリント回路基板（１１０）のそれぞれの受容開口（６５０）との連結のみが、前記１つ以上のアンテナホーン（１２０）を前記プリント回路基板（１１０）に連結するように、当該複数の適合型連結部材（２１０Ｐ）が、前記それぞれの受容開口（６５０）に連結されている、複数の適合型連結部材（２１０Ｐ）と
を含む、アンテナホーンのアレイ（１２１、１２１Ａ、１２１Ｂ、１２１Ｃ）
を備えているアンテナアレイ（１０１）。
【請求項２】
前記複数の適合型連結部材（２１０Ｐ）のそれぞれが、前記プリント回路基板（１１０）のそれぞれの受容開口（６５０）に圧入嵌合されるように構成されている、請求項１に記載のアンテナアレイ（１０１）。
【請求項３】
前記複数の適合型連結部材（２１０Ｐ）が、前記それぞれの受容開口（６５０）の壁（６５１）に対して外向き把持力（６６０）を加えるように構成された適合型ピン（３００）を備えている、請求項１又は２に記載のアンテナアレイ（１０１）。
【請求項４】
前記複数の適合型連結部材（２１０Ｐ）が、無線周波信号（９００）をそれぞれのアンテナホーン（１２０）内に実質的に隔離するファラデーケージ（６００）を形成するように、前記それぞれのプリント回路基板ランチャー（６１０Ｐ）を取り囲む、請求項１から３のいずれか一項に記載のアンテナアレイ（１０１）。
【請求項５】
前記複数の適合型連結部材（２１０Ｐ）が、前記フレーム（２００）と前記プリント回路基板（１１０）との間からの無線周波信号（９００）の漏洩を実質的に防止するように、前記それぞれのプリント回路基板ランチャー（６１０Ｐ）を取り囲む、請求項１から４のいずれか一項に記載のアンテナアレイ（１０１）。
【請求項６】
前記複数の適合型連結部材（２１０Ｐ）が、隣接するアンテナホーン（１２０）間の無線周波信号（９００）干渉を実質的に防止するように、前記それぞれのプリント回路基板ランチャー（６１０Ｐ）を取り囲む、請求項１から５のいずれか一項に記載のアンテナアレイ（１０１）。
【請求項７】
前記１つ以上のアンテナホーン（１２０）が、高密度フェーズアレイアンテナホーン（１２０ＨＤ）として構成され、隣接するアンテナホーン（１２０）間の中心間の間隔が、サブラムダ間隔である、請求項１から６のいずれか一項に記載のアンテナアレイ（１０１）。
【請求項８】
プリント回路基板（１１０）との連結のためのアンテナホーン（１２０）であって、
無線周波信号（９００）が通過するコップ構造（２１８）を形成する少なくとも１つの開口（２１５）を有するフレーム（２００）であって、第１の端部（２０１）と、前記第１の端部（２０１）から長手方向に離間された第２の端部（２０２）とを含む、フレーム（２００）、及び
前記第１の端部（２０１）から長手方向に延びる複数の適合型連結部材（２１０Ｐ）であって、当該複数の適合型連結部材（２１０Ｐ）と、前記プリント回路基板（１１０）のそれぞれの受容開口（６５０）との連結のみが、前記アンテナホーン（１２０）を前記プリント回路基板（１１０）に連結するように、当該複数の適合型連結部材（２１０Ｐ）が、前記それぞれの受容開口（６５０）に連結されるように構成されている、複数の適合型連結部材（２１０Ｐ）
を備えているアンテナホーン（１２０）。
【請求項９】
アンテナアレイ（１０１）を形成するための方法であって、
アンテナホーンのアレイ（１２１、１２１Ａ、１２１Ｂ、１２１Ｃ）のアンテナホーン（１２０）が、プリント回路基板（１１０）のそれぞれのプリント回路基板ランチャー（６１０Ｐ）を取り囲むように、前記アンテナホーン（１２０）を前記プリント回路基板（１１０）に対して位置付けすることと、
前記アンテナホーンのアレイ（１２１、１２１Ａ、１２１Ｂ、１２１Ｃ）の前記アンテナホーン（１２０）のフレーム（２００）から延びる複数の適合型連結部材（２１０Ｐ）と、前記プリント回路基板（１１０）のそれぞれの受容開口（６５０）とを連結することのみにより、前記アンテナホーン（１２０）を前記プリント回路基板（１１０）に連結することと
を含む、方法。
【請求項１０】
前記複数の適合型連結部材（２１０Ｐ）と前記プリント回路基板（１１０）のそれぞれの受容開口（６５０）とを連結することが、前記複数の適合型連結部材（２１０Ｐ）を前記それぞれの受容開口（６５０）
に圧入嵌合することを含む、請求項９に記載の方法。
【発明の詳細な説明】
【技術分野】
【０００１】
例示的な実施形態は、概して、アンテナに関し、より具体的には、アンテナホーンを有するアンテナに関する。
【背景技術】
【０００２】
フェーズドアレイアンテナなどのアンテナは、概して、放射型（例えば、電磁波の伝播）プリント回路基板（ここでは「プリント回路基板」と呼ばれる）に取り付けられたアンテナホーンを含む。概して、アンテナホーンは、取付孔とネジを使用して、プリント回路基板に取り付けられる。ネジは、取付孔に嵌まったときに、アンテナホーンをプリント回路基板に固定するように、取付フランジを貫通する。アンテナホーンの大きなアレイをプリント回路基板に取り付けるとき、概して、各プリント回路基板ランチャーの周りでアンテナホーンとプリント回路基板との間に無線周波接地相互配線（ｒａｄｉｏ  ｆｒｅｑｕｅｎｃｙ  ｇｒｏｕｎｄ  ｉｎｔｅｒｃｏｎｎｅｃｔ）が設けられる。高周波接地相互配線を設けることは、多くのプリント回路基板ランチャーを備えた表面積では困難であり、典型的に、ネジ用の取付孔を含む新奇なクランプ構造の使用が必要とされる。新奇なクランプ構造は、量感があり、プリント回路基板上の空間の大部分を占有し、フェーズドアレイアンテナの質量を増大させ、フェーズドアレイアンテナのコストを増大させ、例えば、サブラムダ間隔（ｓｕｂ−ｌａｍｂｄａ  ｓｐａｃｉｎｇ）によってより高い密度のフェーズアレイを妨げる。
【発明の概要】
【０００３】
したがって、以上で特定された懸念事項のうちの少なくとも１つ以上に対処することを意図した装置及び方法が有用性を見いだすであろう。
【０００４】
以下の記載は、本開示に係る主題の実施例の非網羅的なリストである。これらの実施例は、特許請求される場合があり、又は特許請求されない場合がある。
【０００５】
本開示に係る主題の一実施例は、プリント回路基板との連結のためのアンテナホーンに関し、アンテナホーンは、無線周波信号が通過するコップ構造を形成する少なくとも１つの開口を有するフレームであって、第１の端部と、前記第１の端部から長手方向に離間された第２の端部とを含む、フレーム、及び前記第１の端部から長手方向に延びる複数の適合型連結部材であって、当該複数の適合型連結部材と、前記プリント回路基板のそれぞれの受容開口との連結のみが、前記アンテナホーンを前記プリント回路基板に連結するように、当該複数の適合型連結部材が、前記それぞれの受容開口に連結されるように構成されている、複数の適合型連結部材を備えている。
【０００６】
本開示に係る主題の別の実施例は、アンテナアレイに関し、アンテナアレイは、複数のプリント回路基板ランチャーを有するプリント回路基板、及び前記プリント回路基板と連結するように構成されたアンテナホーンのアレイであって、当該アンテナホーンのアレイのうちの１つ以上のアンテナホーンが、それぞれのプリント回路基板ランチャーを取り囲むコップ構造を形成する少なくとも１つの開口を有するフレームであって、前記プリント回路基板に連結された第１の端部と、前記第１の端部から長手方向に離間され、前記プリント回路基板から延びる第２の端部とを有する、フレームと、前記第１の端部から長手方向に延びる複数の適合型連結部材であって、当該複数の適合型連結部材と、前記プリント回路基板のそれぞれの受容開口との連結のみが、前記１つ以上のアンテナホーンを前記プリント回路基板に連結するように、当該複数の適合型連結部材が、前記それぞれの受容開口に連結されている、複数の適合型連結部材とを含む、アンテナホーンのアレイを備えている。
【０００７】
本開示に係る主題のさらに別の実施例は、アンテナアレイを形成するための方法に関し、当該方法は、アンテナホーンのアレイのアンテナホーンが、プリント回路基板のそれぞれのプリント回路基板ランチャーを取り囲むように、前記アンテナホーンを前記プリント回路基板に対して位置付けすることと、前記アンテナホーンのアレイの前記アンテナホーンのフレームから延びる複数の適合型連結部材と、前記プリント回路基板のそれぞれの受容開口とを連結することのみにより、前記アンテナホーンを前記プリント回路基板に連結することとを含む。
【０００８】
本開示に係る主題のさらに別の実施例は、アンテナに関し、アンテナは、１つ以上のプリント回路基板ランチャーを有するプリント回路基板、及び前記プリント回路基板と連結するように構成された１つ以上のアンテナホーンであって、当該１つ以上のアンテナホーンのうちのアンテナホーンが、それぞれのプリント回路基板ランチャーを取り囲むコップ構造を形成する少なくとも１つの開口を有するフレームであって、前記プリント回路基板に連結された第１の端部と、前記第１の端部から長手方向に離間され、前記プリント回路基板から延びる第２の端部とを有する、フレームと、前記第１の端部から長手方向に延びる複数の適合型連結部材であって、当該複数の適合型連結部材と、前記プリント回路基板のそれぞれの受容開口との連結のみが、前記１つ以上のアンテナホーンを前記プリント回路基板に連結するように、当該複数の適合型連結部材が、前記それぞれの受容開口に連結されている、複数の適合型連結部材とを含む、１つ以上のアンテナホーンを備えている。
【０００９】
本開示に係る主題の別の実施例は、アンテナを形成するための方法に関し、当該方法は、アンテナホーンが、プリント回路基板のプリント回路基板ランチャーを取り囲むように、前記アンテナホーンを前記プリント回路基板に対して位置付けすることと、前記アンテナホーンのフレームから延びる複数の適合型連結部材と、前記プリント回路基板のそれぞれの受容開口とを連結することのみにより、前記アンテナホーンを前記プリント回路基板に連結することとを含む。
【図面の簡単な説明】
【００１０】
こうして本開示の実施例を概括的に説明してきたところで、ここで添付図面を参照するが、それらは必ずしも正確な縮尺通りに描かれていない。また、複数の図において、類似の参照記号は同一部分または類似部分を示している。
【００１１】
【図１Ａ】本開示の態様に係る、アンテナの概略ブロック図である。
【図１Ｂ】本開示の態様に係る、アンテナアレイの概略ブロック図である。
【図２Ａ】本開示の態様に係る、図１Ａ及び図１Ｂのアンテナ及びアンテナアレイのアンテナホーンの上面斜視図である。
【図２Ｂ】本開示の態様に係る、図２Ａのアンテナホーンの部分的な底面斜視図である。
【図２Ｃ】本開示の態様に係る、図２Ａのアンテナホーンの部分的な側方断面図である。
【図３Ａ】本開示の態様に係る、アンテナアレイのアンテナホーンの上面斜視図である。
【図３Ｂ】本開示の態様に係る、図３Ａのアンテナホーンの部分的な底面斜視図である。
【図３Ｃ】本開示の態様に係る、図３Ａのアンテナホーンの部分的な側方断面図である。
【図４Ａ】本開示の態様に係る、図１Ａ及び図１Ｂのアンテナ及びアンテナアレイのアンテナホーンの上面斜視図である。
【図４Ｂ】本開示の態様に係る、図４Ａのアンテナホーンの部分的な底面斜視図である。
【図４Ｃ】本開示の態様に係る、図４Ａのアンテナホーンの部分的な側方断面図である。
【図５】本開示の態様に係る、図２Ａから図４Ｃのアンテナホーンの例示的なアレイを示す、図１Ｂのアンテナアレイの斜視図である。
【図６Ａ】本開示の態様に係る、図１Ｂのアンテナアレイの一部の部分的な斜視断面図である。
【図６Ｂ】本開示の態様に係る、図１Ｂのアンテナアレイの一部の部分的な斜視断面図である。
【図７】本開示の態様に係る、図１Ｂのアンテナアレイの一部の部分的な側方断面図である。
【図８】本開示の態様に係る、図１Ｂのアンテナアレイの一部の部分的な斜視断面図である。
【図９Ａ】本開示の態様に係る、図１Ｂのアンテナアレイの一部の部分的な斜視断面図である。
【図９Ｂ】本開示の態様に係る、図１Ｂのアンテナアレイの一部の部分的な斜視断面図である。
【図９Ｃ】本開示の態様に係る、図９Ａ及び図９Ｂのアンテナアレイの一部の部分的な側方断面図である。
【図１０】本開示の態様に係る、例示的な方法のフロー図である。
【発明を実施するための形態】
【００１２】
本開示に係る主題の例示的で非網羅的な実施例が、以下で提供される。これらの実施例は、特許請求されることもあり、又は特許請求されないこともある。
【００１３】
図１Ａ及び図１Ｂを参照すると、本開示の態様は、アンテナホーン１２０、アンテナ１００、及びアンテナアレイ１０１を提供し、アンテナホーン１２０は、圧入嵌合（ｐｒｅｓｓ  ｆｉｔ）構成を有している。例えば、アンテナホーン１２０は、特別な工具又は新奇なクランプ構造を使用することなく、圧入嵌合連結（ｐｒｅｓｓ  ｆｉｔ  ｃｏｕｐｌｉｎｇ）６９０（図６Ｂ）によって、アンテナ１００の放射型プリント回路基板１１０（重ねて、ここでは「プリント回路基板」と呼ばれる）、又はアンテナアレイ１０１に連結される。アンテナホーン１２０は、手作業で又は自動挿入機１９０を用いて、プリント回路基板１１０に連結され得る。自動挿入機１９０は、アンテナホーン１２０を持ち上げて、プリント回路基板１１０に配置するように構成されている。アンテナホーン１２０をプリント回路基板に連結して保持するために、ハンダ、エポキシ、ネジ、及び／又は別のクランプ構造体を使用することは、アンテナホーン１２０とプリント回路基板１１０との間の圧入嵌合連結６９０によって実質的になくなる。
【００１４】
アンテナホーン１２０をプリント回路基板１１０に連結するための別のクランプ構造又は特別の工具が存在しないので、本開示の態様は、隣接するアンテナホーン１２０間に任意の適切な中心間の間隔（図５参照）を有して、互いに隣接するアンテナホーン１２０をアンテナホーンのアレイ１２１（図１Ｂ）の中で互いに対して位置付けすることをさらに提供し得る。例えば、中心間の間隔は、１つ以上のサブラムダ間隔（例えば、アンテナ１００又はアンテナアレイ１０１によって送信且つ／又は受信されている無線周波信号９００（図５参照）の波長より小さな間隔）、アンテナ１００又はアンテナアレイ１０１によって送信且つ／又は受信されている波長（すなわち、ラムダ）に等しい（又は実質的に等しい）間隔、及びアンテナ１００又はアンテナアレイ１０１によって送信且つ／又は受信されている波長（すなわち、ラムダ）より大きな間隔であり得るが、これらに限定されない。
【００１５】
アンテナホーン１２０とプリント回路基板１１０との間の圧入嵌合連結６９０によって、アンテナホーン１２０とプリント回路基板１１０との間に無線周波接地連結６２０（例えば、図６Ａ及び図６Ｂを参照）がさらにもたらされる。アンテナホーン１２０とプリント回路基板１１０との間の連結は、ファラデーケージ６００（例えば、図６Ａ及び図６Ｂを参照）をさらに形成し得る。ファラデーケージ６００は、無線周波信号９００（例えば、図５参照）を、それぞれのアンテナホーン１２０内に、且つそれぞれのプリント回路基板ランチャー６１０（例えば、図６Ａ、図６Ｂ、図８、図９Ａ、図９Ｂ、及び図９Ｃを参照）内に隔離する。プリント回路基板ランチャー６１０は、無線周波信号９００、９００Ａ、９００Ｂ（例えば、図５及び図９Ｃ参照）の伝搬波９０１Ａ、９０１Ｂが、伝送媒体を変更する（例えば、プリント回路基板１１０の内部で伝搬することから空気／真空９９９内で伝搬することへと変更する、及びその逆方向等）プリント回路基板１１０の点／部分である。
【００１６】
本開示の態様は、アンテナ１００及びアンテナアレイ１０１の部品の数を減らし得、アンテナ１００及びアンテナアレイ１０１のコストを削減し得、アンテナ１００及びアンテナアレイ１０１の質量を減らし得、アンテナアレイ１０１のアンテナホーンのアレイ１２１（図１Ｂ）の密度を増大させ得る。
【００１７】
図１Ａを参照すると、アンテナ１００は、プリント回路基板１１０、及び（例えば、１つ以上の）アンテナホーン１２０を含む。プリント回路基板１１０は、アンテナホーン１２０に対応する（例えば、１つ以上の）プリント回路基板ランチャー６１０を有する。１つ以上のアンテナホーン１２０は、アンテナホーン１２０がプリント回路基板ランチャー６１０を取り囲むように、圧入嵌合連結６９０（図６Ｂ）を用いて、プリント回路基板１１０と連結するように構成されている。
【００１８】
図１Ｂを参照すると、アンテナアレイ１０１は、プリント回路基板１１０、及びアンテナホーンのアレイ１２１を含む。この態様では、プリント回路基板１１０は、任意の適切は配置でプリント回路基板１１０上に位置付けされた複数のプリント回路基板ランチャー６１０Ｐを含む。アンテナホーンのアレイ１２１は、アンテナホーンのアレイ１２１の各アンテナホーン１２０が、それぞれのプリント回路基板ランチャー６１０を取り囲むように、プリント回路基板１１０と連結するように構成されている。アンテナが、図１Ａのように１つのアンテナホーン１２０を含むか、又は図１Ｂのように複数のアンテナホーンを含むかに関わらず、プリント回路基板１１０とアンテナホーン１２０との間の連結、及びその特徴は、本明細書に記載された通りであることに留意されたい。
【００１９】
図１Ａ及び図１Ｂを参照すると、無線送信機１９８及び無線受信機１９９のうちの１つ又は複数は、無線周波信号９００を生成且つ／又は復号するように、アンテナ１００及び／又はアンテナアレイ１０１に連結され得る。無線周波信号９００は、アンテナ１００及びアンテナアレイ１０１によって送信及び／又は受信される。
【００２０】
さらに図２Ａ、図３Ａ、及び図４Ａを参照すると、アンテナホーン１２０は、フレーム２００、及び複数の適合型連結部材２１０Ｐを含む。さらに図２Ｂ、図３Ｂ、及び図４Ｂを参照すると、フレーム１２０は、それぞれのプリント回路基板ランチャー６１０を取り囲むコップ構造２１８を形成する少なくとも１つの開口２１５を有する（例えば、それぞれのプリント回路基板ランチャー６１０を取り囲むコップ構造を例示する図５、図６Ａ、図８、図９Ｂを参照）。フレーム２００は、プリント回路基板１１０に連結された第１の端部２０１（図５参照）と、第１の端部２０１から（フレーム２００の長手方向軸２０３に対して）長手方向に離間され、プリント回路基板１１０から延びる第２の端部２０２（図５参照）とを有する。フレーム２００の第１の端部２０１及び第２の端部２０２（及び第１の端部２０１と第２の端部２０２との間のフレーム２００の部分）は、円形、長方形、三角形、八角形、及び六角形の断面形状、並びに／又はこれらの任意の適切か組み合わせのような、任意の適切な断面形状を有し得るが、これらに限定されない。例えば、図２Ａ及び図３Ａは、フレーム２００が実質的に円形断面を有するように例示しているが、図４Ａは、フレーム２００が実質的に長方形断面を有するように例示している。
【００２１】
一態様では、図２Ａ、図３Ａ、図４Ａに示すように、フレーム２００は、少なくとも１つの開口２１５によって形成されたゲインアンテナホーン素子２３０を備えている。例示のみを目的として、図２Ａのゲインアンテナホーン素子２３０はコップ構成を有し、図３Ａのゲインアンテナホーン素子２３０はベル形状構成を有し、図４Ａのゲインアンテナホーン素子２３０は実質的にピラミッド状の構成を有するが、ゲインアンテナホーン素子２３０は、任意の適切な形状構成を有してもよい。別の態様では、フレーム２００は、少なくとも１つの開口２１５によって形成された導波ホーン素子２４０を備えている。導波ホーン素子２４０は、フィルター、ポラライザー、及びカプラーのうちの１つ又は複数を含む、任意の適切な導波構造を含むが、これらに限定されない。図面では、フレーム２００が、ゲインアンテナホーン素子２３０と導波ホーン素子２４０の両方を有するように示しているが、他の態様では、フレーム２００は、ゲインアンテナホーン素子２３０のみを含むか、又は導波ホーン素子２４０のみを含んでもよい。図４Ｂを参照すると、少なくとも１つの開口２１５は、互いに隣接するように配置されたそれぞれの導波ホーン素子２４０Ａ、２４０Ｂを形成する少なくとも２つの開口２１５Ａ、２１５Ｂを含む。フレーム２００は、少なくとも２つの導波ホーン素子２４０Ａ、２４０Ｂ（図９Ａ参照）に共通するゲインアンテナホーン素子２３０を形成する。
【００２２】
図２Ａ、図２Ｂ、図３Ａ、図３Ｂ、図４Ａ、及び図４Ｂを参照すると、複数の適合型連結部材２１０Ｐは、第１の端部２０１から長手方向に延びる。複数の適合型連結部材２１０は、それぞれ、（例えば、ネジ、ハンダ、エポキシ、クランプ等の任意の追加の連結構造体がない状態で）複数の適合型連結部材２１０Ｐとそれぞれの受容開口６５０との連結のみによって、アンテナホーン１２０をプリント回路基板１１０に連結するように、プリント回路基板１１０のそれぞれの受容開口６５０（例えば、図６Ｂを参照）に連結するように構成されている。例えば、複数の適合型連結部材２１０Ｐは、それぞれ、プリント回路基板１１０のそれぞれの受容開口６５０に圧入されるように構成される。各適合型連結部材２１０は、それぞれの受容開口６５０内で弾性変形するように、適合する。図２Ｃ、図３Ｃ、及び図４Ｃをさらに参照すると、複数の適合型連結部材２１０Ｐは、適合型ピン３００を備えている。この適合型ピン３００は、複数の適合型連結部材２１０Ｐとそれぞれの受容開口６５０との連結のみよって、それぞれのアンテナホーン１２０をプリント回路基板１１０に連結するように、外向き把持力６６０（例えば、それぞれの適合型ピン３００の長手方向軸３００Ｘに対して外向きの又はさもなければ長手方向軸３００Ｘに対して横方向の１つ以上の方向）をそれぞれの受容開口６５０の壁６５１（例えば、図６Ｂを参照）に対して加えるように構成されている。一態様では、適合型ピン３００は、複数の適合型連結部材２１０Ｐとそれぞれの受容開口６５０との連結のみによって、それぞれのアンテナホーン１２０をプリント回路基板１１０に連結するように、それぞれの受容開口６５０の壁６５１を把持するよう構成された表面粗さ３００ＳＲ（図３Ｃ参照）を有する。複数の適合型連結部材２１０Ｐは、フレーム２００と一体的に形成されているが、他の態様では、複数の適合型連結部材２１０Ｐは、任意の適切な方法でフレーム２００に連結され得る。
【００２３】
図２Ｂ、図３Ｂ、図４Ｂ、図６Ａ、図６Ｂ、図８、及び図９Ａを参照すると、それぞれのアンテナホーン１２０がプリント回路基板１１０に連結されたときに、ファラデーケージ６００を形成するように、複数の適合型連結部材２１０Ｐは、少なくとも１つの開口２１５を取り囲む。ファラデーケージ６００は、例えば、それぞれのアンテナホーン１２０の第１の端部２０１から、それぞれのアンテナホーン１２０が配置されたプリント回路基板１１０の表面１１０Ｓ（図６Ａから図９Ａを参照）へと延びる。さらに図６Ｂ及び図７を参照すると、アンテナホーン１２０の第１の端部２０１は、受容開口６５０の１つ以上の導電性トレース６５０Ｔの上に置かれてもよい。１つ以上の導電性トレース６５０Ｔは、アンテナホーン１２０の第１の端部２０１とプリント回路基板１１０の表面１１０Ｓとの間に間隙７００が存在するように、プリント回路基板１１０の表面１１０Ｓの上に突出し得る。間隙７００は、約０．１ｍｍ（約０．００４インチ）以下であり得る。ファラデーケージ６００は、フレーム２００とプリント回路基板１１０との間からの無線周波信号９００の漏洩を実質的に防止するように、アンテナホーン１２０の第１の端部２０１間から受容開口６５０の中へと延びて、間隙７００にかかる。さらに、ファラデーケージ６００は、無線周波信号９００を少なくとも１つの開口２１５のそれぞれの開口の中に実質的に隔離し得る。図４Ｂ及び図９Ｂに示すように、フレーム２００は、少なくとも２つの導波ホーン素子２４０Ａ、２４０Ｂを含み、複数の適合型連結部材２１０Ｐは、隣接する導波ホーン素子２４０Ａ、２４０Ｂの間（例えば、フレーム２００の隔壁４００）に配置され、それぞれのアンテナホーン１２０が、プリント回路基板１１０のそれぞれの受容開口６５０に連結されたとき、（例えば、ファラデーケージ６００を通して）隣接する導波ホーン素子２４０Ａ、２４０Ｂ間に無線周波信号９００の隔離を実質的にもたらす。
【００２４】
図２Ｂ、図３Ｂ、図４Ｂ、図６Ａ、図６Ｂ、図８、及び図９Ａを続けて参照すると、アンテナホーン１２０がプリント回路基板１１０に連結されると、複数の適合型連結部材２１０Ｐは、ファラデーケージ６００が無線周波信号９００を（それぞれの）アンテナホーン１２０の中に実質的に隔離するように、それぞれのプリント回路基板ランチャー６１０を取り囲む。プリント回路基板１１０の１つ以上のプリント回路基板ランチャー６１０は、一重偏波ランチャー６１１（図８参照）及び二重偏波ランチャー６１２（図６Ａ、図６Ｂ、図９Ａ、図９Ｂ、図９Ｃ参照）の双方のうちの１つである。二重偏波ランチャー６１２は、第１及び第２の偏波素子６１０Ａ、６１０Ｂなどのプリント回路基板ランチャー素子を含む。第１及び第２の偏波素子６１０Ａ、６１０Ｂはそれぞれ、異なる偏波（例えば、左側偏波、右側偏波、又は任意の適切な偏波）を有する。
【００２５】
上述のように、ファラデーケージ６００は、複数の適合型連結部材２１０Ｐが、それぞれのプリント回路基板ランチャー６１０を取り囲み、フレーム２００とプリント回路基板１１０との間の無線周波信号９００の漏洩を（例えば、ファラデーケージ６００を通して）実質的に防止するように、第１の端部２０１とプリント回路基板１１０の表面１１０Ｓとの間の間隙７００にかかる（例えば、間隙７００を通って延びる）。複数の適合型連結部材２１０Ｐは、隣接するアンテナホーン１２０間の及び共通アンテナホーン１２０の隣接する導波ホーン素子２４０Ａ、２４０Ｂ間の無線周波信号９００の干渉を（例えば、ファラデーケージ６００を通して）実質的に防止するように、それぞれのプリント回路基板ランチャー６１０を取り囲む。例えば、図４Ｂ及び図９Ｂに示すように、フレーム２００が、少なくとも２つの導波ホーン素子２４０Ａ、２４０Ｂを含む場合、少なくとも１つの開口２１５（例えば、図４Ｂ参照）は、２つの開口２１５Ａ、２１５Ｂを含む。２つの開口のうちの１つ目２１５Ａは、二重偏波ランチャー６１２の第１の偏波素子６１０Ａのための第１の導波ホーン素子２４０Ａ（例えば、図４Ｂ及び図９Ａを参照）を形成し、２つの開口のうちの２つ目２１５Ｂは、二重偏波ランチャー６１２の第２の偏波素子６１０Ｂのための第２の導波ホーン素子２４０Ｂ（例えば、図４Ｂ及び図９Ａ参照）を形成する。複数の適合型連結部材２１０Ｐのうちの１つ又は複数は、第１の導波ホーン素子２４０Ａと第２の導波ホーン素子２４０Ｂとの間に配置され、第１の偏波素子６１０Ａと第２の偏波素子６１０Ｂとを隔離する。例えば、複数の適合型連結部材２１０Ｐは、隣接する導波ホーン素子２４０Ａ、２４０Ｂ間に（例えば、フレーム２００の隔壁４００上に）配置され、それぞれのアンテナホーン１２０が、プリント回路基板１１０のそれぞれの受容開口６５０に連結されたとき、第１及び第２の偏波素子６１０Ａ、６１０Ｂのそれぞれを取り囲み、（例えば、導波ホーン素子２４０Ａ、２４０Ｂそれぞれの周囲に形成されたファラデーケージ６００を通して）隣接する導波ホーン素子２４０Ａ、２４０Ｂ間の無線周波信号９００の隔離を実質的にもたらす。
【００２６】
図６Ｂ及び図７を参照すると、プリント回路基板１１０は、受容開口６５０の１つ以上の導電性トレース６５０Ｔが、互いに連結されて、無線周波接地７７０を形成するように、構成される。１つ以上の導電性トレース６５０Ｔは、受容開口を通って延び、それぞれの受容開口６５０の壁６５１を形成する。複数の適合型連結部材２１０Ｐは、フレーム２００とプリント回路基板１１０との間に無線周波接地連結７７０Ｃを形成するように構成されている。フレーム２００とプリント回路基板１１０との間の無線周波接地連結７７０Ｃは、適合型連結部材２１０Ｐの適合性、及び適合型連結部材２１０Ｐと受容開口６５０の壁６５１との間の圧入嵌合連結６９０を通してもたらされる。例えば、適合型連結部材２１０を受容開口６５０内に挿入すると、適合型連結部材２１０は、それぞれの受容開口６５０の壁６５１の影響によって弾性的に変形し、これにより、適合型連結部材２１０は、壁６５１に対して外向き把持力６６０を加え、適合型連結部材２１０と（例えば、１つ以上の導電性トレース６５０Ｔによって形成された）壁６５１との間で結果として生じた接触が、適合型連結部材２１０と１つ以上の導電性トレース６５０Ｔとの間（すなわち、フレーム２００とプリント回路基板１１０との間）で導電連結（すなわち、無線周波接地連結７７０Ｃ）を形成する。
【００２７】
図５を参照すると、アンテナアレイ１０１は、アンテナホーン１２０の例示的な群５０１、５０２、５０３有するように示されている。群５０１は、図２Ａから図２Ｃのアンテナホーン１２０を含むアンテナホーンのアレイ１２１Ａを含む。アンテナホーンのアレイ１２１Ａのアンテナホーン１２０は、任意の適切な数の行５０１Ｒ１〜５０１Ｒｎ、及び任意の適切な数の列５０１Ｃ１〜５０１Ｃｎで構成される。行５０１Ｒ１〜５０１Ｒｎ及び列５０１Ｃ１〜５０１Ｃｎのうちの１つ又は複数は、アンテナホーンのハニカム構造を形成するように、千鳥状にしてもよい。群５０２は、図３Ａから図３Ｃのアンテナホーン１２０を含むアンテナホーンのアレイ１２１Ｂを含む。アンテナホーンのアレイ１２１Ｂのアンテナホーン１２０は、任意の適切な数の行５０２Ｒ１〜５０２Ｒｎ、及び任意の適切な数の列５０２Ｃ１〜５０２Ｃｎで構成される。行５０２Ｒ１〜５０２Ｒｎ及び列５０２Ｃ１〜５０２Ｃｎのうちの１つ又は複数は、アンテナホーンのハニカム構造を形成するように、千鳥状にしてもよい。群５０３は、図４Ａから図４Ｃのアンテナホーン１２０を含むアンテナホーンのアレイ１２１Ｃを含む。アンテナホーンのアレイ１２１Ｃのアンテナホーン１２０は、任意の適切な数の行５０３Ｒ１〜５０３Ｒｎ、及び任意の適切な数の列５０３Ｃ１〜５０３Ｃｎで構成される。行５０３Ｒ１〜５０３Ｒｎ及び列５０３Ｃ１〜５０３Ｃｎのうちの１つ又は複数は、アンテナホーンのレンガ塀パターンを形成するように、千鳥状にしてもよい。アンテナホーンのアレイ１２１Ａ、１２１Ｂ、１２１Ｃのアンテナホーン１２０は、共通のプリント回路基板１１０と連結しているように示されているが、他の態様では、プリント回路基板は、アンテナホーンが共通した構成をもつアンテナホーンのアレイを含み得る。例えば、プリント回路基板１１０は、図２Ａから図２Ｃに示すアンテナホーン１２０のみを含むアンテナホーンのアレイが連結されている場合があり、プリント回路基板１１０は、図３Ａから図３Ｃに示すアンテナホーン１２０のみを含むアンテナホーンのアレイが連結されている場合があり、又はプリント回路基板１１０は、図４Ａから図４Ｃに示すアンテナホーン１２０のみを含むアンテナホーンのアレイが連結されている場合がある。他の態様では、プリント回路基板１１０は、任意の適切な数のアンテナホーン１２０の群が連結されてもよく、アンテナホーン１２０は、任意の適切な構成を有する。
【００２８】
一態様では、行５０１Ｒ１〜５０１Ｒｎ、５０２Ｒ１〜５０２Ｒｎ、５０３Ｒ１〜５０３Ｒｎの間の間隔、及び列５０１Ｃ１〜５０１Ｃｎ、５０２Ｃ１〜５０２Ｃｎ、５０３Ｃ１〜５０３Ｃｎの間の間隔は、アンテナホーンのアレイ１２１Ａ、１２１Ｂ、１２１Ｃの各アンテナホーン１２０が、上述のようにそれぞれのプリント回路基板ランチャー６１０を取り囲むように、プリント回路基板１１０のプリント回路基板ランチャー６１０の位置に基づいて確立される。別の態様では、隣接するアンテナホーン１２０の第２の端部間の間隔（すなわち、距離）が、プリント回路基板１１０において隣接するアンテナホーン１２０の第１の端部２０１への（例えば、工具やクランプ等のための）接近を防止する（例えば、各アンテナホーン１２０とプリント回路基板１１０との間の圧入嵌合連結が、アンテナホーン１２０をプリント回路基板１１０に対して保持する唯一の連結／構造であるように、第１の端部２０１及びプリント回路基板１１０への接近が防止される）ように、行５０１Ｒ１〜５０１Ｒｎ、５０２Ｒ１〜５０２Ｒｎ、５０３Ｒ１〜５０３Ｒｎの間の間隔、列５０１Ｃ１〜５０１Ｃｎ、５０２Ｃ１〜５０２Ｃｎ、５０３Ｃ１〜５０３Ｃｎの間の間隔（並びにプリント回路基板１１０のプリント回路基板ランチャー６１０の位置）は、アンテナホーン１２０の第２の端部２０２の寸法に基づいて確立される。例えば、さらに図２Ａ、図３Ａ、及び図４Ａを参照すると、隣接するアンテナホーン１２０の第２の端部２０２における又は第２の端部２０２に隣接する、フレーム２００の外壁２００Ｗ間の間隔５７０は、隣接するアンテナホーン１２０の外壁２００Ｗが互いに実質的に接触しているようであるか、又は、間隔５７０が、僅少、すなわち、約０．１ｍｍ（約０．００４インチ）以下など取るに足りないほど小さい間隔であり得る。他の態様では、間隔５７０は、任意の適切な間隔であってもよい。
【００２９】
アンテナホーンのアレイ１２１Ａ、１２１Ｂ、１２１Ｃのアンテナホーン１２０は、高密度フェーズアレイアンテナホーン１２０ＨＤとして構成され、プリント回路基板上の、中心から中心への、隣接するアンテナホーン間の中心間の間隔（例えば、距離）は、サブラムダ間隔（例えば、アンテナホーンを通過する無線周波信号の波長より小さな間隔）である。一態様では、サブラムダ間隔は、アンテナホーン１２０を通過する無線周波信号の波長の約半分より小さいが、他の態様では、隣接するアンテナホーン１２０間の中心間の間隔は、任意の適切な間隔であってもよい。中心間の間隔とは、列５０１Ｃ１〜５０１Ｃｎ、５０２Ｃ１〜５０２Ｃｎ、５０３Ｃ１〜５０３Ｃｎの間の間隔５５０、行５０１Ｒ１〜５０１Ｒｎ、５０２Ｒ１〜５０２Ｒｎ、５０３Ｒ１〜５０３Ｒｎの間の間隔５５１、及び隣接しているが、千鳥状の／オフセットされたアンテナホーン１２０間の間隔５５２のうちの１つ又は複数である。アンテナホーン１２０をプリント回路基板１１０に対して保持するために、例えば、量感のある新奇なクランプ構造、ネジ、ハンダ等の使用を回避し得るので、隣接するアンテナホーン１２０間の中心間の間隔は、アンテナホーン１２０とプリント回路基板１１０との間の圧入嵌合連結６９０（図６Ｂ）によってもたらされる。
【００３０】
図１Ａ、図６Ａ、図６Ｂ、図８、図９Ａ、及び図１０を参照すると、アンテナ１００を形成するための例示的な方法が説明される。当該方法は、アンテナホーン１２０が、プリント回路基板１１０のプリント回路基板ランチャー６１０を取り囲むように、アンテナホーン１２０をプリント回路基板１１０に対して位置付けすること（図１０のブロック１０００）を含む。アンテナホーン１２０は、アンテナホーン１２０のフレーム２００から延びる複数の適合型連結部材２１０Ｐと、プリント回路基板１１０のそれぞれの受容開口６５０とを連結することのみにより、プリント回路基板１１０に連結される（図１０のブロック１０１０）。複数の適合型連結部材２１０Ｐとプリント回路基板１１０のそれぞれの受容開口６５０とを連結することは、複数の適合型連結部材２１０Ｐをそれぞれの受容開口６５０に圧入嵌合することを含む。一態様では、アンテナホーン１２０は、プリント回路基板１１０との自動化された圧入嵌合連結のために構成されている。例えば、アンテナホーン１２０は、自動挿入機１９０の把持機によって把持されるように、任意の適切な態様で構成され得る。自動挿入機１９０は、アンテナホーン１２０をプリント回路基板１１０に対して位置付けし、（例えば、圧入嵌合によって）アンテナホーン１２０をプリント回路基板１１０と連結する。他の態様では、アンテナホーンは、任意の適切な態様（手作業等）でプリント回路基板に圧入嵌合され得る。アンテナホーンをプリント回路基板に連結することは、さらにファラデーケージ６００を形成し得る。ファラデーケージ６００が、無線周波信号９００をアンテナホーン１２０内に実質的に隔離するように、アンテナホーン１２０の複数の適合型連結部材２１０Ｐは、プリント回路基板ランチャー６１０Ｐを取り囲む。例えば、プリント回路基板ランチャー６１０を取り囲むアンテナホーン１２０の複数の適合型連結部材２１０Ｐによって形成されたファラデーケージ６００を用いて、アンテナホーン１２０とプリント回路基板１１０との間からの無線周波信号漏洩も防止することができる。
【００３１】
図１Ｂ、図５、図６Ａ、図６Ｂ、図８、図９Ａ、及び図１０を参照すると、アンテナアレイ１０１を形成するための例示的な方法が説明される。当該方法は、アンテナホーン１２０が、プリント回路基板１１０のそれぞれのプリント回路基板ランチャー６１０を取り囲むように、アンテナホーンのアレイ１２１のアンテナホーン１２０をプリント回路基板１１０に対して位置付けすること（図１０のブロック１０００）を含む。アンテナホーンのアレイ１２１のアンテナホーン１２０は、アンテナホーン１２０のフレーム２００から延びる複数の適合型連結部材２１０Ｐと、プリント回路基板１１０のそれぞれの受容開口６５０とを連結することのみにより、プリント回路基板１１０に連結される（図１０のブロック１０１０）。アンテナホーン１２０をプリント回路基板１１０に連結することは、隣接するアンテナホーン１２０間のサブラムダ間隔、又は任意の他の適切な間隔を有する状態で、アンテナホーン１２０をプリント回路基板１１０に連結することを含む。一態様では、サブラムダ間隔は、アンテナホーン１２０を通過する無線周波信号９００の波長の約半分より小さい。複数の適合型連結部材２１０Ｐとプリント回路基板１１０のそれぞれの受容開口６５０とを連結することは、複数の適合型連結部材２１０Ｐをそれぞれの受容開口６５０に圧入嵌合することを含む。一態様では、アンテナホーン１２０は、プリント回路基板１１０との自動化された圧入嵌合連結のために構成されている。例えば、アンテナホーン１２０は、自動挿入機１９０の把持機によって把持されるように、任意の適切な態様で構成され得る。自動挿入機１９０は、アンテナホーン１２０をプリント回路基板１１０に対して位置付けし、（例えば、圧入嵌合によって）アンテナホーン１２０をプリント回路基板１１０と連結する。他の態様では、アンテナホーンは、任意の適切な態様（手作業等）でプリント回路基板に圧入嵌合され得る。アンテナホーンをプリント回路基板に連結することは、さらにファラデーケージ６００を形成し得る。ファラデーケージ６００が、無線周波信号９００をアンテナホーン１２０内に実質的に隔離するように、アンテナホーン１２０の複数の適合型連結部材２１０Ｐは、プリント回路基板ランチャー６１０Ｐを取り囲む。例えば、プリント回路基板ランチャー６１０を取り囲むアンテナホーン１２０の複数の適合型連結部材２１０Ｐによって形成されたファラデーケージ６００を用いて、アンテナホーン１２０とプリント回路基板１１０との間からの無線周波信号漏洩も防止することができる。さらに、隣接するアンテナホーン１２０間の無線周波信号９００干渉が、例えば、隣接するアンテナホーン１２０の複数の適合型連結部材２１０Ｐによって形成されたファラデーケージ６００で実質的に防止され得る。
【００３２】
本開示の態様により、以下の実施例が提供される。
【００３３】
Ａ１
プリント回路基板との連結のためのアンテナホーンであって、無線周波信号が通過するコップ構造を形成する少なくとも１つの開口を有するフレームであって、第１の端部と、前記第１の端部から長手方向に離間された第２の端部とを含む、フレーム、及び前記第１の端部から長手方向に延びる複数の適合型連結部材であって、当該複数の適合型連結部材と、前記プリント回路基板のそれぞれの受容開口との連結のみが、前記アンテナホーンを前記プリント回路基板に連結するように、当該複数の適合型連結部材が、前記それぞれの受容開口に連結されるように構成されている、複数の適合型連結部材を備えているアンテナホーン。
【００３４】
Ａ２
前記複数の適合型連結部材のそれぞれが、前記プリント回路基板のそれぞれの受容開口に圧入嵌合されるように構成されている、段落Ａ１に記載のアンテナホーン。
【００３５】
Ａ３
前記フレームが、前記少なくとも１つの開口によって形成されたゲインアンテナホーン素子を含む、段落Ａ１に記載のアンテナホーン。
【００３６】
Ａ４
前記フレームが、前記少なくとも１つの開口によって形成された導波ホーン素子を含む、段落Ａ１に記載のアンテナホーン。
【００３７】
Ａ５
前記少なくとも１つの開口が、互いに隣接するように配置されたそれぞれの導波ホーン素子を形成する少なくとも２つの開口を含み、前記複数の適合型連結部材が、隣接する導波ホーン素子間に配置され、前記プリント回路基板の前記それぞれの受容開口に連結されると、前記隣接する導波ホーン素子間に無線周波信号隔離を実質的にもたらす、段落Ａ１に記載のアンテナホーン。
【００３８】
Ａ６
前記フレームが、前記少なくとも２つの導波ホーン素子に共通するゲインアンテナホーン素子を形成する、段落Ａ５に記載のアンテナホーン。
【００３９】
Ａ７
前記複数の適合型連結部材が、前記フレームと一体的に形成されている、段落Ａ１に記載のアンテナホーン。
【００４０】
Ａ８
前記複数の適合型連結部材が、前記それぞれの受容開口の壁に対して外向き把持力を加えるように構成された適合型ピンを備えている、段落Ａ１に記載のアンテナホーン。
【００４１】
Ａ９
前記複数の適合型連結部材が、前記それぞれの受容開口の壁を把持するように構成された表面粗さを有する適合型ピンを備えている、段落Ａ１に記載のアンテナホーン。
【００４２】
Ａ１０
前記複数の適合型連結部材が、前記プリント回路基板に連結されたとき、無線周波信号を前記少なくとも１つの開口のそれぞれの開口内に実質的に隔離するファラデーケージを形成するように、前記複数の適合型連結部材が、前記少なくとも１つの開口を取り囲む、段落Ａ１に記載のアンテナホーン。
【００４３】
Ａ１１
前記複数の適合型連結部材が、前記プリント回路基板に連結されたとき、前記フレームと前記プリント回路基板との間からの無線周波信号の漏洩を実質的に防止するように、前記複数の適合型連結部材が、前記少なくとも１つの開口を取り囲む、段落Ａ１（又はＡ１０）に記載のアンテナホーン。
【００４４】
Ａ１２
前記アンテナホーンが、高密度フェーズアレイアンテナホーンとして構成され、前記プリント回路基板上の、中心から中心への、隣接するアンテナホーン間の中心間の間隔が、サブラムダ間隔である、段落Ａ１に記載のアンテナホーン。
【００４５】
Ａ１３
前記サブラムダ間隔が、前記アンテナホーンを通過する前記無線周波信号の波長の約半分より小さい、段落Ａ１２に記載のアンテナホーン。
【００４６】
Ａ１４
前記アンテナホーンが、前記プリント回路基板との自動化された圧入嵌合連結のために構成されている、段落Ａ１に記載のアンテナホーン。
【００４７】
Ａ１５
前記複数の適合型連結部材が、前記フレームと前記プリント回路基板との間で無線周波接地連結を形成するように構成されている、段落Ａ１に記載のアンテナホーン。
【００４８】
Ｂ１
アンテナアレイであって、複数のプリント回路基板ランチャーを有するプリント回路基板、及び前記プリント回路基板と連結するように構成されたアンテナホーンのアレイであって、当該アンテナホーンのアレイのうちの１つ以上のアンテナホーンが、それぞれのプリント回路基板ランチャーを取り囲むコップ構造を形成する少なくとも１つの開口を有するフレームであって、前記プリント回路基板に連結された第１の端部と、前記第１の端部から長手方向に離間され、前記プリント回路基板から延びる第２の端部とを有する、フレームと、前記第１の端部から長手方向に延びる複数の適合型連結部材であって、当該複数の適合型連結部材と、前記プリント回路基板のそれぞれの受容開口との連結のみが、前記１つ以上のアンテナホーンを前記プリント回路基板に連結するように、当該複数の適合型連結部材が、前記それぞれの受容開口に連結されている、複数の適合型連結部材とを含む、アンテナホーンのアレイを備えているアンテナアレイ。
【００４９】
Ｂ２
前記複数の適合型連結部材のそれぞれが、前記プリント回路基板のそれぞれの受容開口に圧入嵌合されるように構成されている、段落Ｂ１に記載のアンテナアレイ。
【００５０】
Ｂ３
前記フレームが、前記少なくとも１つの開口によって形成されたゲインアンテナホーン素子を含む、段落Ｂ１に記載のアンテナアレイ。
【００５１】
Ｂ４
前記フレームが、前記少なくとも１つの開口によって形成された導波ホーン素子を含む、段落Ｂ１に記載のアンテナアレイ。
【００５２】
Ｂ５
前記少なくとも１つの開口が、互いに隣接するように配置されたそれぞれの導波ホーン素子を形成する少なくとも２つの開口を含み、前記複数の適合型連結部材が、隣接する導波ホーン素子間に配置され、前記隣接する導波ホーン素子間に無線周波信号隔離をもたらす、段落Ｂ１に記載のアンテナアレイ。
【００５３】
Ｂ６
前記フレームが、前記少なくとも２つの導波ホーン素子に共通するゲインアンテナホーン素子を形成する、段落Ｂ５に記載のアンテナアレイ。
【００５４】
Ｂ７
前記複数の適合型連結部材が、前記フレームと一体的に形成されている、段落Ｂ１に記載のアンテナアレイ。
【００５５】
Ｂ８
前記複数の適合型連結部材が、前記それぞれの受容開口の壁に対して外向き把持力を加えるように構成された適合型ピンを備えている、段落Ｂ１に記載のアンテナアレイ。
【００５６】
Ｂ９
前記複数の適合型連結部材が、前記それぞれの受容開口の壁を把持するように構成された表面粗さを有する適合型ピンを備えている、段落Ｂ１に記載のアンテナアレイ。
【００５７】
Ｂ１０
無線周波信号を前記少なくとも１つの開口のそれぞれの開口内に実質的に隔離するファラデーケージを形成するように、前記プリント回路基板に連結された前記複数の適合型連結部材が、前記少なくとも１つの開口を取り囲む、段落Ｂ１に記載のアンテナアレイ。
【００５８】
Ｂ１１
前記フレームと前記プリント回路基板との間からの無線周波信号の漏洩を実質的に防止するように、前記プリント回路基板に連結された前記複数の適合型連結部材が、前記少なくとも１つの開口を取り囲む、段落Ｂ１（又はＢ１０）に記載のアンテナアレイ。
【００５９】
Ｂ１２
前記複数の適合型連結部材が、無線周波信号をそれぞれのアンテナホーン内に実質的に隔離するファラデーケージを形成するように、前記それぞれのプリント回路基板ランチャーを取り囲む、段落Ｂ１に記載のアンテナアレイ。
【００６０】
Ｂ１３
前記複数の適合型連結部材が、前記フレームと前記プリント回路基板との間からの無線周波信号の漏洩を実質的に防止するように、前記それぞれのプリント回路基板ランチャーを取り囲む、段落Ｂ１（又はＢ１０）に記載のアンテナアレイ。
【００６１】
Ｂ１４
前記複数の適合型連結部材が、隣接するアンテナホーン間の無線周波信号干渉を実質的に防止するように、前記それぞれのプリント回路基板ランチャーを取り囲む、段落Ｂ１（又はＢ１０）に記載のアンテナアレイ。
【００６２】
Ｂ１５
前記１つ以上のアンテナホーンが、高密度フェーズアレイアンテナホーンとして構成され、隣接するアンテナホーン間の中心間の間隔が、サブラムダ間隔である、段落Ｂ１に記載のアンテナアレイ。
【００６３】
Ｂ１６
前記サブラムダ間隔が、前記アンテナホーンを通過する無線周波信号の波長の約半分より小さい、段落Ｂ１５に記載のアンテナアレイ。
【００６４】
Ｂ１７
前記１つ又は複数アンテナホーンが、前記プリント回路基板との自動化された圧入嵌合連結のために構成されている、段落Ｂ１に記載のアンテナアレイ。
【００６５】
Ｂ１８
前記複数の適合型連結部材が、前記フレームと前記プリント回路基板との間で無線周波接地連結を形成するように構成されている、段落Ｂ１に記載のアンテナアレイ。
【００６６】
Ｂ１９
前記複数のプリント回路基板ランチャーのうちの１つ又は複数が、二重偏波ランチャーを含む、段落Ｂ１に記載のアンテナアレイ。
【００６７】
Ｂ２０
前記少なくとも１つの開口が、２つの開口を含み、前記２つの開口のうちの１つ目が、前記二重偏波ランチャーの第１の偏波素子のための第１の導波ホーン素子を形成し、前記２つの開口のうちの２つ目が、前記二重偏波ランチャーの第２の偏波素子のための第２の導波ホーン素子を形成する、段落Ｂ１９に記載のアンテナアレイ。
【００６８】
Ｂ２１
前記複数の適合型連結部材のうちの１つ又は複数が、前記第１の導波ホーン素子と前記第２の導波ホーン素子との間に配置されて、前記第１の偏波素子と前記第２の偏波素子とを隔離する、段落Ｂ２０に記載のアンテナアレイ。
【００６９】
Ｂ２２
前記複数のプリント回路基板ランチャーのうちの１つ又は複数が、一重偏波ランチャーを含む、段落Ｂ１に記載のアンテナアレイ。
【００７０】
Ｂ２３
前記１つ以上のアンテナホーンのうちの隣接するアンテナホーンの第２の端部間の距離が、前記プリント回路基板において前記隣接するアンテナホーンの前記第１の端部への接近を防止する、段落Ｂ１に記載のアンテナアレイ。
【００７１】
Ｂ２４
前記複数の適合型連結部材が、前記それぞれの受容開口の影響の下で変形するように構成されている、段落Ｂ１に記載のアンテナアレイ。
【００７２】
Ｃ１
アンテナアレイを形成するための方法であって、アンテナホーンのアレイのアンテナホーンが、プリント回路基板のそれぞれのプリント回路基板ランチャーを取り囲むように、前記アンテナホーンを前記プリント回路基板に対して位置付けすることと、前記アンテナホーンのアレイの前記アンテナホーンのフレームから延びる複数の適合型連結部材と、前記プリント回路基板のそれぞれの受容開口とを連結することのみにより、前記アンテナホーンを前記プリント回路基板に連結することとを含む、方法。
【００７３】
Ｃ２
前記複数の適合型連結部材と前記プリント回路基板のそれぞれの受容開口とを連結することが、前記複数の適合型連結部材を前記それぞれの受容開口に圧入嵌合することを含む、段落Ｃ１に記載の方法。
【００７４】
Ｃ３
自動挿入機を用いて、前記アンテナホーンをプリント回路基板に対して位置付けることと、前記アンテナホーンを前記プリント回路基板と連結することとを引き起こすことをさらに含む、段落Ｃ１に記載の方法。
【００７５】
Ｃ４
前記それぞれのプリント回路基板ランチャーを取り囲むそれぞれのアンテナホーンの前記複数の適合型連結部材を用いて、前記アンテナホーンと前記プリント回路基板との間からの無線周波信号の漏洩を実質的に防止することをさらに含む、段落Ｃ１に記載の方法。
【００７６】
Ｃ５
前記それぞれのプリント回路基板ランチャーを取り囲むそれぞれのアンテナホーンの前記複数の適合型連結部材を用いて、ファラデーケージを形成することをさらに含み、前記ファラデーケージが、無線周波信号を前記それぞれのアンテナホーン内に実質的に隔離する、段落Ｃ１に記載の方法。
【００７７】
Ｃ６
前記隣接するアンテナホーンの前記複数の適合型連結部材を用いて、隣接するアンテナホーン間の無線周波信号干渉を実質的に防止することをさらに含む、段落Ｃ１に記載の方法。
【００７８】
Ｃ７
前記アンテナホーンを前記プリント回路基板に連結することが、隣接するアンテナホーン間のサブラムダ間隔を有する状態で、前記アンテナホーンを前記プリント回路基板に連結することを含む、段落Ｃ１に記載の方法。
【００７９】
Ｃ８
前記サブラムダ間隔が、前記アンテナホーンを通過する無線周波信号の波長の約半分より小さい、段落Ｃ７に記載の方法。
【００８０】
Ｄ１
アンテナであって、１つ以上のプリント回路基板ランチャーを有するプリント回路基板、及び前記プリント回路基板と連結するように構成された１つ以上のアンテナホーンであって、当該１つ以上のアンテナホーンのうちのアンテナホーンが、それぞれのプリント回路基板ランチャーを取り囲むコップ構造を形成する少なくとも１つの開口を有するフレームであって、前記プリント回路基板に連結された第１の端部と、前記第１の端部から長手方向に離間され、前記プリント回路基板から延びる第２の端部とを有する、フレームと、前記第１の端部から長手方向に延びる複数の適合型連結部材であって、当該複数の適合型連結部材と、前記プリント回路基板のそれぞれの受容開口との連結のみが、前記アンテナホーンを前記プリント回路基板に連結するように、当該複数の適合型連結部材が、前記それぞれの受容開口に連結されている、複数の適合型連結部材とを含む、１つ以上のアンテナホーンを備えているアンテナ。
【００８１】
Ｄ２
前記複数の適合型連結部材のそれぞれが、前記プリント回路基板のそれぞれの受容開口に圧入嵌合されるように構成されている、段落Ｄ１に記載のアンテナ。
【００８２】
Ｄ３
前記フレームが、前記少なくとも１つの開口によって形成されたゲインアンテナホーン素子を含む、段落Ｄ１に記載のアンテナ。
【００８３】
Ｄ４
前記フレームが、前記少なくとも１つの開口によって形成された導波ホーン素子を含む、段落Ｄ１に記載のアンテナ。
【００８４】
Ｄ５
前記少なくとも１つの開口が、互いに隣接するように配置されたそれぞれの導波ホーン素子を形成する少なくとも２つの開口を含み、前記複数の適合型連結部材が、隣接する導波ホーン素子間に配置され、前記隣接する導波ホーン素子間に無線周波信号隔離をもたらす、段落Ｄ１に記載のアンテナ。
【００８５】
Ｄ６
前記フレームが、前記少なくとも２つの導波ホーン素子に共通するゲインアンテナホーン素子を形成する、段落Ｄ５に記載のアンテナ。
【００８６】
Ｄ７
前記複数の適合型連結部材が、前記フレームと一体的に形成されている、段落Ｄ１に記載のアンテナ。
【００８７】
Ｄ８
前記複数の適合型連結部材が、前記それぞれの受容開口の壁に対して外向き把持力を加えるように構成された適合型ピンを備えている、段落Ｄ１に記載のアンテナ。
【００８８】
Ｄ９
前記複数の適合型連結部材が、前記それぞれの受容開口の壁を把持するように構成された表面粗さを有する適合型ピンを備えている、段落Ｄ１に記載のアンテナ。
【００８９】
Ｄ１０
無線周波信号を前記少なくとも１つの開口のそれぞれの開口内に実質的に隔離するファラデーケージを形成するように、前記プリント回路基板に連結された前記複数の適合型連結部材が、前記少なくとも１つの開口を取り囲む、段落Ｄ１に記載のアンテナ。
【００９０】
Ｄ１１
前記フレームと前記プリント回路基板との間からの無線周波信号の漏洩を実質的に防止するように、前記プリント回路基板に連結された前記複数の適合型連結部材が、前記少なくとも１つの開口を取り囲む、段落Ｄ１（又はＤ１０）に記載のアンテナ。
【００９１】
Ｄ１２
前記複数の適合型連結部材が、無線周波信号をそれぞれのアンテナホーン内に実質的に隔離するファラデーケージを形成するように、前記それぞれのプリント回路基板ランチャーを取り囲む、段落Ｄ１に記載のアンテナ。
【００９２】
Ｄ１３
前記複数の適合型連結部材が、前記フレームと前記プリント回路基板との間からの無線周波信号の漏洩を実質的に防止するように、前記それぞれのプリント回路基板ランチャーを取り囲む、段落Ｄ１（又はＤ１０）に記載のアンテナ。
【００９３】
Ｄ１４
前記複数の適合型連結部材が、隣接するアンテナホーン間の無線周波信号干渉を実質的に防止するように、前記それぞれのプリント回路基板ランチャーを取り囲む、段落Ｄ１（又はＤ１０）に記載のアンテナ。
【００９４】
Ｄ１５
前記１つ以上のアンテナホーンのうちの前記アンテナホーンが、高密度フェーズアレイアンテナホーンとして構成され、隣接するアンテナホーン間の中心間の間隔が、サブラムダ間隔である、段落Ｄ１に記載のアンテナ。
【００９５】
Ｄ１６
前記サブラムダ間隔が、前記アンテナホーンを通過する無線周波信号の波長の約半分より小さい、段落Ｄ１５に記載のアンテナ。
【００９６】
Ｄ１７
前記１つ又は複数アンテナホーンが、前記プリント回路基板との自動化された圧入嵌合連結のために構成されている、段落Ｄ１に記載のアンテナ。
【００９７】
Ｄ１８
前記複数の適合型連結部材が、前記フレームと前記プリント回路基板との間で無線周波接地連結を形成するように構成されている、段落Ｄ１に記載のアンテナ。
【００９８】
Ｄ１９
前記１つ以上のプリント回路基板ランチャーが、二重偏波ランチャーを含む、段落Ｄ１に記載のアンテナ。
【００９９】
Ｄ２０
前記少なくとも１つの開口が、２つの開口を含み、前記２つの開口のうちの１つ目が、前記二重偏波ランチャーの第１の偏波素子のための第１の導波ホーン素子を形成し、前記２つの開口のうちの２つ目が、前記二重偏波ランチャーの第２の偏波素子のための第２の導波ホーン素子を形成する、段落Ｄ１９に記載のアンテナ。
【０１００】
Ｄ２１
前記複数の適合型連結部材のうちの１つ又は複数が、前記第１の導波ホーン素子と前記第２の導波ホーン素子との間に配置されて、前記第１の偏波素子と前記第２の偏波素子とを隔離する、段落Ｄ２０に記載のアンテナ。
【０１０１】
Ｄ２２
前記１つ以上のプリント回路基板ランチャーが、一重偏波ランチャーを含む、段落Ｄ１に記載のアンテナ。
【０１０２】
Ｄ２３
前記１つ以上のアンテナホーンのうちの隣接するアンテナホーンの第２の端部間の距離が、前記プリント回路基板において前記隣接するアンテナホーンの前記第１の端部への接近を防止する、段落Ｄ１に記載のアンテナ。
【０１０３】
Ｄ２４
前記複数の適合型連結部材が、前記それぞれの受容開口の影響の下で変形するように構成されている、段落Ｄ１に記載のアンテナ。
【０１０４】
Ｅ１
アンテナを形成するための方法であって、アンテナホーンが、プリント回路基板のプリント回路基板ランチャーを取り囲むように、前記アンテナホーンを前記プリント回路基板に対して位置付けすることと、前記アンテナホーンのフレームから延びる複数の適合型連結部材と、前記プリント回路基板のそれぞれの受容開口とを連結することのみにより、前記アンテナホーンを前記プリント回路基板に連結することとを含む、方法。
【０１０５】
Ｅ２
前記複数の適合型連結部材と前記プリント回路基板のそれぞれの受容開口とを連結することが、前記複数の適合型連結部材を前記それぞれの受容開口に圧入嵌合することを含む、段落Ｅ１に記載の方法。
【０１０６】
Ｅ３
自動挿入機を用いて、前記アンテナホーンをプリント回路基板に対して位置付けることと、前記アンテナホーンを前記プリント回路基板と連結することとを引き起こすことをさらに含む、段落Ｅ１に記載の方法。
【０１０７】
Ｅ４
前記プリント回路基板ランチャーを取り囲む前記アンテナホーンの前記複数の適合型連結部材を用いて、前記アンテナホーンと前記プリント回路基板との間からの無線周波信号の漏洩を実質的に防止することをさらに含む、段落Ｅ１に記載の方法。
【０１０８】
Ｅ５
前記プリント回路基板ランチャーを取り囲む前記アンテナホーンの前記複数の適合型連結部材を用いて、ファラデーケージを形成することをさらに含み、前記ファラデーケージが、無線周波信号を前記アンテナホーン内に実質的に隔離する、段落Ｅ１に記載の方法。
【０１０９】
図面では、様々な要素及び／又は構成要素を接続する実線が存在する場合、これらの実線は、機械的、電気的、流体的、光学的、電磁的、無線的、及びその他の連結、並びに／又はこれらの組み合わせを表し得る。本明細書で用いられている「連結された（ｃｏｕｐｌｅｄ）」、「連結している（ｃｏｕｐｌｉｎｇ）」、及び「連結（ｃｏｕｐｌｅ）」という用語のその他の文法的変形は、直接的及び間接的に関連付けられていることを意味する。例えば、部材Ａは、部材Ｂと直接的に関連付けられ得るか、又は、例えば、別の部材Ｃを介して、部材Ｂに間接的に関連付けられ得る。開示されている様々な要素間の全ての関連が必ずしも表わされているわけではないことが、理解されよう。そのため、図面に示されているもの以外の連結も存在し得る。様々な要素及び／又は構成要素を示すブロックを接続する破線が存在する場合、これらの破線は、機能及び目的の点で実線によって表されているものに類似した連結を表わす。しかしながら、破線によって表わされた連結は、選択的に設けられるか、又は、本開示の代替的な実施例に関連するかのいずれかであり得る。同様に、破線で表わされた要素及び／又は構成要素が存在する場合、それらは本開示の代替的な実施例を示す。実線及び／又は破線で示されている１つ以上の要素は、本開示の範囲から逸脱せずに、特定の実施例から省略されてもよい。環境要素が存在する場合、それらは点線で表わされる。仮想的な（架空）要素も、明確性のために示され得る。当業者であれば、図に示す特徴の一部は、その図、他の図面、及び／又はこれらに伴う開示内容で説明された他の特徴を含むことを必要とせずに、様々な方法で組み合わせることができるが、本明細書ではこのような１つ以上の組み合わせが明示されていないことを理解されよう。同様に、提示されている実施例に限定されない追加的な特徴が、本明細書で示され且つ記載されている特徴のうちの幾つか又は全てと組み合わされてもよい。
【０１１０】
上記の図１０では、ブロックは、動作及び／又はその一部を表わすことがあり、様々なブロックを接続する線は、動作又はその一部の、任意の特定の順序又は従属関係を示唆するものではない。破線で示されるブロックが存在する場合、それらは代替的な動作及び／又はその一部を表す。様々なブロックを接続する破線がある場合、その破線は、動作又はその一部の代替的な従属関係を表わす。様々な開示された動作間のすべての従属関係が必ずしも表わされていないことを理解されよう。本明細書に明記された１つ以上の方法の動作を説明する、図１０及び添付の開示は、必ずしも、動作が実行されるべきシークエンスを決定すると解釈すべきではない。むしろ、ある例示的な順序が示されていても、適当な場合には、動作のシークエンスを改変し得ることを理解されたい。したがって、ある特定の動作は、異なる順序で又は実質的に同時に実行されてもよい。さらに、当業者であれば、記載されている全ての動作を実行する必要がないことを理解されよう。
【０１１１】
さらに、本開示は、以下の条項に係る実施形態を含む。
【０１１２】
条項１
アンテナアレイであって、複数のプリント回路基板ランチャーを有するプリント回路基板、及び前記プリント回路基板と連結するように構成されたアンテナホーンのアレイであって、当該アンテナホーンのアレイのうちの１つ以上のアンテナホーンが、それぞれのプリント回路基板ランチャーを取り囲むコップ構造を形成する少なくとも１つの開口を有するフレームであって、前記プリント回路基板に連結された第１の端部と、前記第１の端部から長手方向に離間され、前記プリント回路基板から延びる第２の端部とを有する、フレームと、前記第１の端部から長手方向に延びる複数の適合型連結部材であって、当該複数の適合型連結部材と、前記プリント回路基板のそれぞれの受容開口との連結のみが、前記１つ以上のアンテナホーンを前記プリント回路基板に連結するように、当該複数の適合型連結部材が、前記それぞれの受容開口に連結されている、複数の適合型連結部材とを含む、アンテナホーンのアレイを備えているアンテナアレイ。
【０１１３】
条項２
前記複数の適合型連結部材のそれぞれが、前記プリント回路基板のそれぞれの受容開口に圧入嵌合されるように構成されている、条項１に記載のアンテナアレイ。
【０１１４】
条項３
前記複数の適合型連結部材が、前記それぞれの受容開口の壁に対して外向き把持力を加えるように構成された適合型ピンを備えている、条項１に記載のアンテナアレイ。
【０１１５】
条項４
前記複数の適合型連結部材が、無線周波信号をそれぞれのアンテナホーン内に実質的に隔離するファラデーケージを形成するように、前記それぞれのプリント回路基板ランチャーを取り囲む、条項１に記載のアンテナアレイ。
【０１１６】
条項５
前記複数の適合型連結部材が、前記フレームと前記プリント回路基板との間からの無線周波信号の漏洩を実質的に防止するように、前記それぞれのプリント回路基板ランチャーを取り囲む、条項１に記載のアンテナアレイ。
【０１１７】
条項６
前記複数の適合型連結部材が、隣接するアンテナホーン間の無線周波信号干渉を実質的に防止するように、前記それぞれのプリント回路基板ランチャーを取り囲む、条項１に記載のアンテナアレイ。
【０１１８】
条項７
前記１つ以上のアンテナホーンが、高密度フェーズアレイアンテナホーンとして構成され、隣接するアンテナホーン間の中心間の間隔が、サブラムダ間隔である、条項１に記載のアンテナアレイ。
【０１１９】
条項８
前記複数の適合型連結部材が、前記フレームと前記プリント回路基板との間で無線周波接地連結を形成するように構成されている、条項１に記載のアンテナアレイ。
【０１２０】
条項９
前記１つ以上のアンテナホーンのうちの隣接するアンテナホーンの第２の端部間の距離が、前記プリント回路基板において前記隣接するアンテナホーンの前記第１の端部への接近を防止する、条項１に記載のアンテナアレイ。
【０１２１】
条項１０
プリント回路基板との連結のためのアンテナホーンであって、無線周波信号が通過するコップ構造を形成する少なくとも１つの開口を有するフレームであって、第１の端部と、前記第１の端部から長手方向に離間された第２の端部とを含む、フレーム、及び前記第１の端部から長手方向に延びる複数の適合型連結部材であって、当該複数の適合型連結部材と、前記プリント回路基板のそれぞれの受容開口との連結のみが、前記アンテナホーンを前記プリント回路基板に連結するように、当該複数の適合型連結部材が、前記それぞれの受容開口に連結されるように構成されている、複数の適合型連結部材を備えているアンテナホーン。
【０１２２】
条項１１
前記複数の適合型連結部材のそれぞれが、前記プリント回路基板のそれぞれの受容開口に圧入嵌合されるように構成されている、条項１０に記載のアンテナホーン。
【０１２３】
条項１２
前記複数の適合型連結部材が、前記プリント回路基板に連結されたとき、無線周波信号を前記少なくとも１つの開口のそれぞれの開口内に実質的に隔離するファラデーケージを形成するように、前記複数の適合型連結部材が、前記少なくとも１つの開口を取り囲む、条項１０に記載のアンテナホーン。
【０１２４】
条項１３
前記複数の適合型連結部材が、前記プリント回路基板に連結されたとき、前記フレームと前記プリント回路基板との間からの無線周波信号の漏洩を実質的に防止するように、前記複数の適合型連結部材が、前記少なくとも１つの開口を取り囲む、条項１０に記載のアンテナホーン。
【０１２５】
条項１４
前記アンテナホーンが、高密度フェーズアレイアンテナホーンとして構成され、前記プリント回路基板上の、中心から中心への、隣接するアンテナホーン間の中心間の間隔が、サブラムダ間隔である、条項１０に記載のアンテナホーン。
【０１２６】
条項１５
前記アンテナホーンが、前記プリント回路基板との自動化された圧入嵌合連結のために構成されている、条項１０に記載のアンテナホーン。
【０１２７】
条項１６
前記複数の適合型連結部材が、前記フレームと前記プリント回路基板との間で無線周波接地連結を形成するように構成されている、条項１０に記載のアンテナホーン。
【０１２８】
条項１７
アンテナアレイを形成するための方法であって、アンテナホーンのアレイのアンテナホーンが、プリント回路基板のそれぞれのプリント回路基板ランチャーを取り囲むように、前記アンテナホーンを前記プリント回路基板に対して位置付けすることと、前記アンテナホーンのアレイの前記アンテナホーンのフレームから延びる複数の適合型連結部材と、前記プリント回路基板のそれぞれの受容開口とを連結することのみにより、前記アンテナホーンを前記プリント回路基板に連結することとを含む、方法。
【０１２９】
条項１８
前記複数の適合型連結部材と前記プリント回路基板のそれぞれの受容開口とを連結することが、前記複数の適合型連結部材を前記それぞれの受容開口に圧入嵌合することを含む、条項１７に記載の方法。
【０１３０】
条項１９
自動挿入機を用いて、前記アンテナホーンをプリント回路基板に対して位置付けることと、前記アンテナホーンを前記プリント回路基板と連結することとを引き起こすことをさらに含む、条項１７に記載の方法。
【０１３１】
条項２０
前記アンテナホーンを前記プリント回路基板に連結することが、隣接するアンテナホーン間のサブラムダ間隔を有する状態で、前記アンテナホーンを前記プリント回路基板に連結することを含む、条項１７に記載の方法。
【０１３２】
以下の説明では、開示された概念の完全な理解をもたらすために、多数の特定の詳細が明記されるが、この概念は、これらの特定事項の一部又は全てがなくとも実施することができる。他の事例においては、開示を不必要に分かりにくくすることを避けるために、既知のデバイス及び／又はプロセスの詳細が省略されている。一部の概念は特定の実施例と併せて説明されることになるが、それらの実施例は、限定を目的とするものではないことを理解されたい。
【０１３３】
別途提示されない限り、「第１」、「第２」などの用語は、本明細書では単に符号として使用されており、これらの用語が表すアイテムに対して、順序的、位置的、又は序列的な要件を課すことを意図していない。さらに、例えば「第２」のアイテムへの言及は、例えば「第１」の、又はより小さい数が振られたアイテム、及び／又は、例えば「第３」の、又はより大きな数が振られたアイテムの存在を、必要とすることも、排除することもない。
【０１３４】
本明細書における「一実施例」への言及は、その実施例に関連して説明される１つ以上の特徴、構造、又は特性が、少なくとも１つの実装形態に含まれることを意味する。明細書内で頻出する「一実施例」という表現は、同一の実施例を表すこともあり、又は同一の実施例を表さないこともある。
【０１３５】
本明細書において、特定の機能を実施するように「構成された」システム、装置、構造、物品、素子、構成要素、又はハードウェアは、実際には、いかなる変更も伴わずにその特定の機能を実施することが可能であり、さらなる改変の後にその特定の機能を実施する可能性があるにすぎないというものではない。言い換えると、特定の機能を実施するように「構成された」システム、装置、構造、物品、素子、構成要素、又はハードウェアは、その特定の機能を実施するという目的のために、特に選択、創出、実装、利用、プログラミング、且つ／又は設計される。本明細書において、「構成された（ｃｏｎｆｉｇｕｒｅｄ  ｔｏ）」という表現は、システム、装置、構造、物品、素子、構成要素、又はハードウェアがさらなる改変なくても特定の機能を実行することを可能にする、システム、装置、構造、物品、素子、構成要素、又はハードウェアの既存の特性を意味する。この開示のために、特定の機能を実施するように「構成された」と説明されているシステム、装置、構造物、物品、素子、構成要素、又はハードウェアは、追加的又は代替的に、その機能を実施するように「適合された（ａｄａｐｔｅｄ  ｔｏ）」且つ／又は「動作可能である（ｏｐｅｒａｔｉｖｅ  ｔｏ）」と説明され得る。
【０１３６】
本明細書で開示された装置及び方法の種々の実施例は、様々な構成要素、特徴、及び機能を含む。本明細書で開示された装置、システム、及び方法の様々な実施例は、本明細書で開示された装置及び方法のその他の任意の実施例の任意の構成要素、特徴、及び機能を任意の組み合わせで含んでもよく、かかる可能性は全て本開示の範囲内に含まれることが意図されていることを理解すべきである。
【０１３７】
本開示が関係する当業者は、上記の説明及び添付図面に提示された教示の恩恵を受けて、本明細書に明記された実施例の修正例を多数想起するであろう。
【０１３８】
したがって、本開示は、例示された特定の実施例に限定されることがないこと、それから、修正例及びその他の実施例は、添付の特許請求の範囲内に含まれることが意図されていることを理解されたい。さらに、上述の記載及びこれに関連する図面では、本開示の実施例が、素子及び／又は機能の特定の例示的な組み合わせに照らして記載されているが、添付の特許請求の範囲から逸脱することなく、代替的な実装形態によって、素子及び／又は機能の異なる組み合わせを提供できることを理解するべきである。そのため、添付の特許請求の範囲で括弧でくくられた参照番号は、例示目的でのみ提示されており、特許請求される主題の範囲を本開示で提供される特定の実施例に限定することを意図しているわけではない。
【図１Ａ】
2020058018.tif 000003
【図１Ｂ】
2020058018.tif 000004
【図２Ａ】
2020058018.tif 000005
【図２Ｂ】
2020058018.tif 000006
【図２Ｃ】
2020058018.tif 000007
【図３Ａ】
2020058018.tif 000008
【図３Ｂ】
2020058018.tif 000009
【図３Ｃ】
2020058018.tif 000010
【図４Ａ】
2020058018.tif 000011
【図４Ｂ】
2020058018.tif 000012
【図４Ｃ】
2020058018.tif 000013
【図５】
2020058018.tif 000014
【図６Ａ】
2020058018.tif 000015
【図６Ｂ】
2020058018.tif 000016
【図７】
2020058018.tif 000017
【図８】
2020058018.tif 000018
【図９Ａ】
2020058018.tif 000019
【図９Ｂ】
2020058018.tif 000020
【図９Ｃ】
2020058018.tif 000021
【図１０】
2020058018.tif 000022
【外国語明細書】
2020058018000001.pdf
2020058018000002.pdf
2020058018000003.pdf
2020058018000004.pdf